(57)【要約】【課題】床暖房パネルに経時的に反りが生じないようにし、床下地材の上に床暖房パネルを直接的に配置してフローリングを施工したときに、床鳴り現象が起きないようにする。【解決手段】裏面側に収容凹部５１が形成された床暖房用パネル基材５０内に収容される床暖房パネル用積層体１０を、発熱器材層２０と、断熱層としての樹脂発泡体層３０と、樹脂発泡体層の裏面を覆う被覆層４０とをこの順で一体に積層成形して形成する。被覆層４０の存在により樹脂発泡体層３０に反りが生じなくなり、結果として、床暖房パネル６０に経時的に反りが生じることがない。それにより、フローリングでの床鳴り現象が生じるのは抑制される。【選択図】　図５
2004028426.tif 000002
【特許請求の範囲】
【請求項１】
裏面側に収容凹部が形成された床暖房用パネル基材の前記収容凹部内に収容される床暖房パネル用積層体であって、発熱器材層と断熱層としての樹脂発泡体層と樹脂発泡体層の裏面を覆う被覆層とが、この順で一体に積層成形されていることを特徴とする床暖房パネル用積層体。
【請求項２】
床暖房パネル用積層体は成形型枠内に発泡性ウレタン樹脂を注入して発泡させ、一体に積層成形したものであることを特徴とする請求項１記載の床暖房パネル用積層体。
【請求項３】
発熱器材層は少なくとも均熱層としてのアルミ箔層とＰＴＣヒーターの層を備えることを特徴とする請求項１または２記載の床暖房パネル用積層体。
【請求項４】
発熱器材層は少なくとも均熱層としてのアルミ箔層とそこに融着した線ヒーターとからなる層を備えることを特徴とする請求項１または２記載の床暖房パネル用積層体。
【請求項５】
被覆層は少なくともクラフト紙からなる層を備えることを特徴とする請求項１ないし４いずれかに記載の床暖房パネル用積層体。
【請求項６】
被覆層は少なくとも樹脂フィルムからなる層を備えることを特徴とする請求項１ないし４いずれかに記載の床暖房パネル用積層体。
【請求項７】
請求項１ないし６いずれか記載の床暖房パネル用積層体を基材裏面側に形成した収容凹部内に収容してなることを特徴とする床暖房パネル。
【発明の詳細な説明】
【０００１】
【発明の属する技術分野】
この発明は、床暖房パネル用積層体および該積層体を裏面に収容した床暖房パネルに関する。
【０００２】
【従来の技術】
裏面側にヒーターなどの発熱器材層を収容するための収容凹部を形成した床暖房用パネルの該収容凹部内に、例えば自己温度制御特性を有する面状発熱体（ＰＴＣヒーター）などからなる発熱器材層と硬質発泡ウレタンのような断熱層とを積層状態に収容した床暖房パネルは知られている（特開２００１−３５５８６２号公報など参照）。発熱器材層とウレタン発泡断熱層とを型内ウレタン発泡成形などにより一体に積層成形することも行われる。この形態の床暖房パネルはそれ自体が断熱層を有していることから、根太の上に敷設された捨貼合板などの床下地材の上に、断熱性シートなどの断熱材を敷設することなく、直接敷設していくことができるので、短時間で効率よく床暖房フロアを施工することのできる利点がある。
【０００３】
【発明が解決しようとする課題】
上記した発熱器材層と断熱層としての樹脂発泡体層との積層体を型内発泡成形により製造した場合、発泡層の一方の面は発熱器材層により被覆されているが、他方の面は発泡層そのものが露出している。そのために、成形後に脱型して放置しておくと、積層体の一方の面側と他方の面側とで熱収縮の程度に違いが生じ、放置しておく環境によっては、積層体に反りが生じる場合がある。このような反りの生じた製品は、その反り量が基準値を超えた場合に、不良品として廃棄される。
【０００４】
脱型後すぐに、積層体にまだ反りの生じない状態で、床暖房用パネル裏面の収容凹部内に挿入し、接着剤により一体化する場合もある。この場合でも、周囲の環境によっては、同じ理由から積層体に反りが生じることがあり、反りに引きずられて床暖房用パネルそのものに反りが発生することが起こり得る。図７は、捨貼合板などの床下地材１の上に敷き詰めた床暖房用パネル２が、当初は平坦であったものが、積層体６の反りが原因となって、経時的に反りが発生してしまった状態を模式的に示している。なお、図７において、３は裏面側に発熱器材層を収容するための収容凹部を形成した床暖房用パネル基材であり、その収容凹部内に、例えば自己温度制御特性を有する面状発熱体（ＰＴＣヒーター）などからなる発熱器材層４と硬質発泡ウレタンのような断熱層５とを積層した積層体６が収容されて、床暖房用パネル２が構成されている。このような状態となると、歩行者が歩くときの押圧力により、床面が上下動するようになり、それにより、いわゆる床鳴りが発生する。
【０００５】
本発明は上記のような事情に鑑みてなされたものであり、発熱器材層と断熱層としての樹脂発泡体層とを一体に積層成形した積層体に、経時的に反りが生じるのを抑制できるようにし、それにより、該積層体を収容した床暖房用パネルに反りが発生するのを防止して、暖房フロアで床鳴りを発生するのを阻止できるようにした床暖房パネル用積層体、および該積層体を収容した床暖房パネルを提供することを目的とする。
【０００６】
【課題を解決するための手段】
本発明による床暖房パネル用積層体は、裏面側に収容凹部が形成された床暖房用パネル基材の前記収容凹部内に収容される床暖房パネル用積層体であって、発熱器材層と断熱層としての樹脂発泡体層と樹脂発泡体層の裏面を覆う被覆層とが、この順で一体に積層成形されていることを特徴とする。
【０００７】
この構成の床暖房パネル用積層体は、断熱層である樹脂発泡体層の一方の面は発熱器材層により覆われており、他方の面は被覆層により覆われていて、４周囲を除き、発泡層そのものは露出していない。そのために、発泡層の表裏面での熱収縮割合はほぼ同じ程度となり、熱収縮の差に起因して反りが発生するのを大きく抑制することができる。それにより、経時的に反りが発生して不良品化するのを阻止することができる。
【０００８】
前記床暖房パネル用積層体は種々の方法で作ることができるが、製造の容易性や高い断熱性が確保できることなどの理由から、成形型枠内の一方に発熱器材層を配置し他方に被覆層を配置し、その状態でその間に発泡性ウレタン樹脂を注入して発泡させて、一体に積層成形したものであることは、特に好ましい態様である。
【０００９】
本発明において、発熱器材層は任意のものでよく、従来のこの種床暖房パネル内に収容して用いられる発熱器材層をすべて用いることができる。例えば、少なくとも均熱層としてのアルミ箔層とＰＴＣヒーターの層を備えており、必要に応じてＰＴＣヒーターの両面をＰＥＴフィルムのような樹脂フィルムでさらに覆うようにしたもの、あるいは、少なくとも均熱層としてのアルミ箔層とそこに融着した線ヒーターとからなる層を備えるものなどは、好ましい層構造である。もちろん、いずれの層構造においても、ヒーターへの導電線およびコネクタ類が従来のこの種積層体と同様にして取り付けられる。
【００１０】
本発明において、被覆層は樹脂発泡体層の裏面を覆いかつ被覆した樹脂発泡体面の熱挙動を抑制できるものであれば任意であるが、クラフト紙やＰＥＴフィルムのような樹脂フィルムなどが好適である。もちろん、一体成形時での発泡性樹脂の発泡成形条件、および表面側に積層一体化する発熱器材層の持つ熱挙動特性などによって、樹脂発泡体の裏面側に積層する被覆層が備えるべき最適な物性値（経時的に反りを生じさせない最適な物性値）は相違するので、状況に応じて、種類や厚みなども含め最適な物性値を持つ被覆層を実験的に選定することが推奨される。
【００１１】
本発明は、また、上記のような床暖房パネル用積層体を基材の裏面側に形成した収容凹部内に収容してなる床暖房パネルをも開示する。床暖房パネル用基材は、従来のフローリングで使用されている床材の裏面に前記積層体が収容できるだけの凹部が形成されたものであれば、基本的に使用可能である。もちろん、必要な場合には、配線用の切り欠き、コネクターを収容する空所などが形成される。必須ではないが、合板やＭＤＦのような木質繊維板である基部の表面に突板などの化粧材が貼り付けられることは好ましく、また、基部の周囲には実が形成されることが好ましい。化粧材には好ましくは疑似溝が形成される。
【００１２】
【発明の実施の形態】
以下、図面を参照しながら、本発明を実施の形態に基づき説明する。図１は本発明による床暖房パネル用積層体の一例を示す斜視図であり、図２はその一部を分解した状態で示す図である。床暖房パネル用積層体１０は、発熱器材層２０と、断熱層としての樹脂発泡体層３０と、樹脂発泡体層３０の裏面を覆う被覆層４０とが、この順で一体に積層成形されて構成されている。
【００１３】
発熱器材層２０は、従来の床暖房における発熱器材層として用いられているものを任意に用いうるが、この例では、均熱層としてのアルミ箔（０．１ｍｍ厚程度のもの）２１、不織布２２、ＰＥＴフィルム２３、ＰＴＣヒーター２４、ＰＥＴフィルム２５、とをこの順で積層したものを用いている。アルミ箔に線ヒーターを融着した形態のものであってもよい。なお、発熱器材層２０には、電気的結線を行うためのオスコネクタ２６、メスコネクタ２７が適宜の方法により取り付けられる。
【００１４】
樹脂発泡体層３０は、この例では硬質発泡ウレタンを用いているが、発泡スチロールのようなものであってもよい。被覆層４０は、樹脂発泡体層３０の裏面を覆いかつ被覆した樹脂発泡体面の熱挙動を抑制できるものであれば任意である。この例では、７５ｇ／ｍ２程度のクラフト紙を用いているが、ＰＥＴフィルムのような樹脂フィルムであってもよい。
【００１５】
上記した発熱器材層２０、樹脂発泡体層３０および被覆層４０は、適宜の方法により一体に積層されて床暖房パネル用積層体１０とされる。好ましくは、図３に示すように、成形型枠７の底面側に発熱器材層２０を配置し、蓋８側に被覆層４０を配置した状態で、その間に発泡性ウレタン樹脂を注入してウレタン発泡を行い、発泡したウレタン層（樹脂発泡体層３０）の表面と裏面に、発熱器材層２０と被覆層４０とを一体に積層させる。本発明による床暖房パネル用積層体１０は、断熱層である樹脂発泡体層３０の一方の面は発熱器材層２０により覆われており、他方の面は被覆層４０により覆われているので、樹脂発泡体層３０の表裏面での熱収縮割合はほぼ同じ程度とすることができ、熱収縮の差に起因して床暖房パネル用積層体１０に反りが発生するのは実質的に抑制される。発泡スチロールを樹脂発泡体層３０として用いる場合には、発熱器材層２０と被覆層４０とを接着剤により貼り付け一体化するようにしてもよい。
【００１６】
本発明による床暖房パネル用積層体１０を、図４に示すように、床暖房用パネル基材５０の裏面側に形成した収容凹部５１内に収容することにより、本発明による床暖房用パネル６０が形成される。床暖房用パネル基材５０としては、従来のフローリングで使用されているこの種の基材を任意に用いることができる。この例において、平板状のＭＤＦの裏面をくり抜いて前記収容凹部５１を形成するとともに、その周囲には、前記オスコネクタ２６およびメスコネクタ２７を収容するための空所５２、５３が形成され、また、４周の木口部には実加工５４が施されている。床暖房用パネル基材５０表面側には突板などの化粧材５５が貼り付けられ、そこには疑似溝５６が形成されている（図５ａ参照）。
【００１７】
収容凹部５１の大きさと深さは、その内部に床暖房パネル用積層体１０が隙間のない状態で収容される大きさと深さであり、図４ａに示すように、収容凹部５１の内部に接着剤Ｓを塗布した後、接着剤Ｓが未硬化の状態で、その内部に床暖房パネル用積層体１０を挿入し接着剤を硬化させる（図４ｂ）。図５は硬化後の状態（すなわち、本発明による床暖房パネル６０）を示しており、図５ｂの断面図に示すように、床暖房パネル用積層体１０は、その裏面が床暖房用パネル基材５０の裏面と同じ平面をなすようにして収容凹部５１内に収容され、床暖房用パネル基材５０と接着剤により一体化している。
【００１８】
図６は、上記のようにして形成した床暖房パネル６０を、従来と同じようにして、捨貼合板などの床下地材１の上に敷き詰めた状態を示している。床暖房パネル用積層体１０に反りが発生するのが抑制されており、結果として、床暖房パネル６０に経時的に反りが発生することはないので、図示のように、床下地材１と床暖房パネル６０の裏面との間に隙間が生じることはなく、歩行者が歩くときの押圧力により、床鳴りが発生するようなことはない。
【００１９】
【発明の効果】
本発明によれば、床暖房パネル用積層体に反りが生じるのが抑制されており、結果として、床暖房パネルに経時的に反りが生じることもない。そのために、床下地材の上に床暖房パネルを直接的に配置してフローリングを施工しても、隙間が発生することはなく、歩行者が歩くときの押圧力により床鳴り現象が起こるのを長期間にわたって、阻止することができる。
【図面の簡単な説明】
【図１】本発明による床暖房パネル用積層体を示す斜視図。
【図２】床暖房パネル用積層体の一部を分解して示す図。
【図３】本発明による床暖房パネル用積層体の製造工程を説明する図。
【図４】本発明による床暖房パネルの製造工程を説明する図であり、図４ａは組み付け前の図、図４ｂは組み付け後の図。
【図５】図５ａは本発明による床暖房パネルを示す斜視図、図５ｂは図５ａのｂ−ｂ線による断面図。
【図６】本発明による床暖房パネルを床下地面に敷き詰めた状態を示す断面図。
【図７】従来の床暖房パネルを床下地面に敷き詰めた状態を示す断面図。
【符号の説明】
７…成形型枠、１０…床暖房パネル用積層体、２０…発熱器材層、２１…均熱層としてのアルミ箔、２２…不織布、２３、２５…ＰＥＴフィルム、２４…ＰＴＣヒーター、２４、ＰＥＴフィルム２５、３０…樹脂発泡体層、４０…被覆層、５０…床暖房用パネル基材、５１…裏面側に形成した収容凹部、６０…床暖房用パネル
【図１】
2004028426.tif 000003
【図２】
2004028426.tif 000004
【図３】
2004028426.tif 000005
【図４】
2004028426.tif 000006
【図５】
2004028426.tif 000007
【図６】
2004028426.tif 000008
【図７】
2004028426.tif 000009